(57)【要約】【課題】  複数のホストから印刷が行われる印刷装置において、排紙トレイに排紙された印刷物の中から、各ホストから実行され印刷された印刷物を容易に選別して取り出せるようにする。【解決手段】  （１）各ホストからの印刷物の１枚目が区切りの役目になるようにずれて排紙する。  （２）各ホストからの印刷物の境に白紙の用紙が仕切り紙としてずれて排紙されるようにする。  （３）（２）に対し、さらに、用紙にはホスト情報、印刷情報を印字するようにする。【選択図】  図６
2006334883.tif 000002
【特許請求の範囲】
【請求項１】
排紙位置をずらすことで印刷物のソートをしたものを区別する手段と、最後に印刷を実行したホストを記憶する手段と、を有する印刷装置を備え、ネットワーク上より印刷が実行された時、記憶されているホストと異なるホストからの印刷であれば、印刷物の１枚目だけを通常の排紙位置とは異なる位置に排紙を行うことを特徴とする印刷システム。
【請求項２】
排紙位置をずらすことで印刷物のソートをしたものを区別する手段と、最後に印刷を実行したホストを記憶する手段と、を有する印刷装置を備え、ネットワーク上より印刷が実行された時、記憶されているホストと異なるホストからの印刷であれば、仕切り紙として用紙を１枚通常の排紙位置とは異なる位置に排紙を行うことを特徴とする印刷システム。
【請求項３】
前記請求項２に記載の印刷システムにおいて、仕切り紙にホスト情報、印刷情報を印刷することを特徴とする印刷システム。
【発明の詳細な説明】
【技術分野】
【０００１】
本発明は、ネットワーク上から印刷データが送信され、そのデータを印刷する印刷装置、印刷システムに関する。
【背景技術】
【０００２】
ネットワークに接続して使用する印刷装置は、複数のホストから印刷が実行される。そのため印刷装置の排紙トレイには各ホストの印刷物がまとまっていて、自分の印刷物を取り出すことが困難である。
【０００３】
又、別の従来例としては、特許文献１及び特許文献２をあげることが出来る。
【特許文献１】特開平０９−１７２５１７号公報
【特許文献２】特開平０９−３０１６０９号公報
【発明の開示】
【発明が解決しようとする課題】
【０００４】
本発明は、以上のような印刷装置において、各ホストからの印刷物の区別が容易になるように排紙を行う印刷装置を提供するである。
【課題を解決するための手段】
【０００５】
請求項１に記載の印刷システムは、排紙位置をずらすことで印刷物のソートをしたものを区別する手段と、最後に印刷を実行したホストを記憶する手段とを有する印刷装置を備え、ネットワーク上より印刷が実行された時、記憶されているホストと異なるホストからの印刷であれば、印刷物の１枚目だけを通常の排紙位置とは異なる位置に排紙を行うことを特徴とするものである。
【０００６】
請求項２に記載の印刷システムは、排紙位置をずらすことで印刷物のソートをしたものを区別する手段と、最後に印刷を実行したホストを記憶する手段とを有する印刷装置を備え、ネットワーク上より印刷が実行された時、記憶されているホストと異なるホストからの印刷であれば、仕切り紙として用紙を１枚通常の排紙位置とは異なる位置に排紙を行うことを特徴とするものである。
【０００７】
請求項３に記載の印刷システムは、前記請求項２に記載の印刷システムにおいて、仕切り紙にホスト情報、印刷情報を印刷することを特徴とするものである。
【発明の効果】
【０００８】
以上詳述したように、請求項１に記載の印刷装置によれば、各ホストからの印刷物の１枚目が区切りの役目になるようにずれて排紙されているため、印刷物の区別が容易になる。
【０００９】
請求項２に記載の印刷装置によれば、各ホストからの印刷物の境に白紙の用紙が仕切り紙としてずれて排紙されているため、印刷物の区別が容易になる。
【００１０】
請求項３に記載の印刷装置によれば、各ホストからの印刷物の境に用紙が仕切り紙としてずれて排紙されている。さらに、用紙にはホスト情報、印刷情報が印字されているため、印刷物の区別が容易になる。
【発明を実施するための最良の形態】
【００１１】
以下、本発明の実施例を図面を参照して詳述する。
【００１２】
本発明における印刷装置とは、一般的な印刷装置である。従って装置の説明、図は省略する。
【００１３】
図６は本発明の印刷システムの構成を示すブロック図である。
【００１４】
ホスト１は、印刷の指示を行う。印刷装置２は、ＩＦ３、制御部４、操作表示部５、ＲＡＭ６、ＲＯＭ７、記録部（排紙部）８からなる。ＩＦ３は、ホスト１との通信を行う。制御部４は、印刷装置の制御を行う。操作表示部５は、印刷装置の操作、状態の表示を行う。ＲＡＭ６は、受信データの格納等、処理に必要な情報を記憶する。ＲＯＭ７は、印刷装置の制御プログラムが格納されている。記録部（排紙部）８は、用紙へ印刷データの記録、排紙を行う。
【００１５】
図１は印刷物の１枚目だけずらして排紙する処理の流れを示すフローである。
【００１６】
処理の流れを、図１、図３、図６により詳述する。
【００１７】
ステップＳ１０１において、ホスト１より送られる印刷データの受信を行う。
【００１８】
ステップＳ１０２において、ホスト１の情報をホスト情報として取得する。
【００１９】
ステップＳ１０３において、ＲＡＭ６に記憶されているホスト情報と現在のホスト情報が同じ物か識別する。同じ物でない場合は、ステップＳ１０４へ、同じものならばステップＳ１０５へ進む。この際に、現在のホスト情報をＲＡＭ６へ記憶する。
【００２０】
ステップＳ１０４において、記録部（排紙部）８により、１枚目の排紙を通常の排紙位置よりずれた位置へ排紙を行い。２枚目以降は通常の排紙位置へ用紙を排紙する。
【００２１】
ステップＳ１０５において、記録部（排紙部）８により、通常の印刷、排紙が行われる。
【００２２】
ステップＳ１０４における処理が行われた場合、図３のように用紙が排紙される。
【００２３】
図２は仕切り紙をずらして排紙する処理の流れを示すフローである。
【００２４】
処理の流れを、図２、図４、図５、図６により詳述する。
【００２５】
ステップＳ２０１、Ｓ２０２において、ホスト１から印刷データを受信しホスト情報も取得する。
【００２６】
ステップＳ２０３において、ＲＡＭ６に記憶されているホストかを識別し、同じ物ならばステップＳ２０９通常の処理へ、違うものであれば、ステップＳ２０４へ進む。
【００２７】
ステップＳ２０４において、記録部（排紙部）８により、印刷し排紙を行う。
【００２８】
ステップＳ２０５において、仕切り紙に情報を印字する設定がされているかを判断する。設定がされている場合は、ステップＳ２０６へ、されていない場合は、ステップＳ２０８へ進む。
【００２９】
ステップＳ２０８において、記録部（排紙部）８により、通常の排紙位置よりずれた位置へ白紙の用紙を仕切り紙として排紙する。
【００３０】
ステップＳ２０６において、記録部（排紙部）８により、ホスト情報と印刷情報を印刷し通常の排紙位置よりずれた位置へ仕切り紙として排紙する。
【００３１】
ステップＳ２０８における処理が行われた場合、図４のように用紙が排紙される。
【００３２】
ステップＳ２０６における処理が行われた場合、図５のように用紙が排紙される。
【図面の簡単な説明】
【００３３】
【図１】印刷物の１枚目だけずらして排紙する処理の流れを示すフローである。
【図２】仕切り紙をずらして排紙する処理の流れを示すフローである。
【図３】印刷物の１枚目だけずらして排紙した状態の図である。
【図４】仕切り紙をずらして排紙した状態の図である。
【図５】仕切り紙に情報を印刷し、ずらして排紙した状態の図である。
【図６】本発明の印刷装置の構成を示すブロック図である。
【符号の説明】
【００３４】
１  ホスト
２  印刷装置
３  ＩＦ
４  制御部
５  操作表示部
６  ＲＡＭ
７  ＲＯＭ
８  記録部（排紙部）
【図１】
2006334883.tif 000003
【図２】
2006334883.tif 000004
【図３】
2006334883.tif 000005
【図４】
2006334883.tif 000006
【図５】
2006334883.tif 000007
【図６】
2006334883.tif 000008